(57)【要約】【課題】部品点数の増加や大型化や複雑な制御を不要としながら、加振入力が中・高周波数振動領域か低周波数領域かで自動的に回転イナーシャ機能を異ならせることで、クランク軸の回転変動抑制や発進加速性の向上や変速時間の短縮等の効用を併せて達成することができる車両用エンジンフライホイールを提供すること。【解決手段】エンジン１のクランク軸２に設けられ、エンジン１のクランク軸２は、自動変速機５の変速機入力軸３に固定的に連結された車両用エンジンフライホイールにおいて、回転自由度が２自由度で少なくとも３つの回転要素を有するシングルピニオン式プラネタリギヤPG1を有し、シングルピニオン式プラネタリギヤPG1の速度線図で、両端部以外の位置に存在するキャリアＣに、クランク軸２を固定的に連結し、かつ、シングルピニオン式プラネタリギヤPG1の３つの回転要素のうち、２つの回転要素（サンギヤＳとリングギヤＲ）間に、所定量以上の相対回転を規制しながら相対回転後に各回転要素を中立位置に戻す捩りばね７を配置した。【選択図】図１
2010164125.tif 000002
【特許請求の範囲】
【請求項１】
エンジンのクランク軸に設けられ、前記エンジンのクランク軸は、変速機の入力要素軸に固定的に連結された車両用エンジンフライホイールにおいて、
回転自由度が２自由度で少なくとも３つの回転要素を有する噛み合い機構を有し、
前記噛み合い機構の速度線図で、両端部以外の位置に存在する回転要素に、前記クランク軸を固定的に連結し、かつ、前記噛み合い機構の少なくとも３つの回転要素のうち、２つの回転要素間に弾性部材を配置したことを特徴とする車両用エンジンフライホイール。
【請求項２】
請求項１に記載された車両用エンジンフライホイールにおいて、
前記噛み合い機構は、シングルピニオン式プラネタリギヤであり、
前記シングルピニオン式プラネタリギヤの速度線図で、両端部以外の位置に存在するキャリアに、前記クランク軸を固定連結したことを特徴とする車両用エンジンフライホイール。
【請求項３】
請求項２に記載された車両用エンジンフライホイールにおいて、
前記シングルピニオン式プラネタリギヤは、３つの回転要素のうち、キャリアとサンギヤの間、あるいは、キャリアとリングギヤとの間に前記弾性部材を配置したことを特徴とする車両用エンジンフライホイール。
【請求項４】
請求項１に記載された車両用エンジンフライホイールにおいて、
前記噛み合い機構は、ダブルピニオン式プラネタリギヤであり、
前記ダブルピニオン式プラネタリギヤの速度線図で、両端部以外の位置に存在するリングギヤに、前記クランク軸を固定連結したことを特徴とする車両用エンジンフライホイール。
【請求項５】
請求項４に記載された車両用エンジンフライホイールにおいて、
前記ダブルピニオン式プラネタリギヤは、３つの回転要素のうち、リングギヤとサンギヤの間、あるいは、キャリアとリングギヤとの間に前記弾性部材を配置したことを特徴とする車両用エンジンフライホイール。
【発明の詳細な説明】
【技術分野】
【０００１】
本発明は、エンジンのクランク軸に設けられる車両用エンジンフライホイールに関する。
【背景技術】
【０００２】
従来、主振動系に固定したプラネタリギヤセットのサンギヤと、このサンギヤに対してキャリアによって位置決めされた複数個のピニオンを介して配置したマス部材を兼ねるリングギヤと、サンギヤとリングギヤあるいはサンギヤとキャリアとの間で捩り方向のばね特性を発揮する弾性体とを備えてなるダイナミックダンパが知られている（例えば、特許文献１参照）。
【０００３】
従来、小さい質量のイナーシャ部材によってクラッチ係合時のエンジンの爆発振動を効果的に吸収することを目的とし、シングルピニオンプラネタリギヤのキャリアがエンジンの出力軸に連結された連結部材によって回転され、リングギヤが変速機の入力軸に連結されたプレートに設けられ、サンギヤにイナーシャ部材を設けた車両用ダンパ装置が知られている（例えば、特許文献２参照）。
【０００４】
従来、クランク軸周りの慣性質量を適切に変化させることを目的とし、クランク軸と一体的に回転するメインフライホイールと、クランク軸の軸線を中心としてクランク軸に対して相対的に回転自在なサブフライホイールと、クランク軸の回転運動をサブフライホイールに伝達する遊星ギア機構と、遊星ギア機構を介したクランク軸とサブフライホイールとの接続及び接続解除を切り替える制動装置及び切替弁とを備えたフライホイール装置が知られている（例えば、特許文献３参照）。
【先行技術文献】
【特許文献】
【０００５】
【特許文献１】実開昭63−103032号公報
【特許文献２】特開2008−164013号公報
【特許文献３】特開2007−187280号公報
【発明の概要】
【発明が解決しようとする課題】
【０００６】
しかしながら、特許文献１に記載された従来のダイナミックダンパにあっては、主振動系をプラネタリギヤセットのサンギヤに固定していたため、プラネタリギヤセットの速度線図上で端部に配置される回転要素に主振動系が連結されることになる。このため、主振動系から入力される振動を抑制するのに、他の２つの回転要素の回転角度が非常に大きくなり、これらの相対回転を規制する部材（弾性体）等の選択自由度が低い、という問題があった。
【０００７】
また、特許文献２に記載された車両用ダンパ装置にあっては、そもそもフライホイールであるトルクコンバータに、さらにシングルピニオンプラネタリギヤとイナーシャ部材を追加する構成であったため、加速時や減速時等において、回転イナーシャが大きくなり、加速応答性や減速応答性が低下する、という問題があった。
また、トランスミッション入力軸とリングギヤが機械的に連結されていて、クランク軸とトランスミッション入力軸とは弾性体を介して連結されるような構造となっており、特許文献２の図４に記載されているように、トランスミッション入力軸を振動中心として、振動を抑制する構造となっている。このため、トランスミッション入力軸は、振幅ゼロにより十分に回転変動を吸収された状態になっていなければ振動を抑制できず、そのような場合はトランスミッション側に振動が伝達されるので、振動的に成立するような構造とはなっていない。
【０００８】
更に、特許文献３に記載されたフライホイール装置にあっては、遊星ギア機構を介したクランク軸とサブフライホイールとの接続及び接続解除を切り替える制動装置及び切替弁を必要とするものであったため、部品点数の増加や大型化や複雑な制御が必要である、という問題があった。
【０００９】
本発明は、上記問題に着目してなされたもので、部品点数の増加や大型化や複雑な制御を不要としながら、加振入力が中・高周波数振動領域か低周波数領域かで自動的に回転イナーシャ機能を異ならせることで、クランク軸の回転変動抑制や発進加速性の向上や変速時間の短縮等の効用を併せて達成することができる車両用エンジンフライホイールを提供することを目的とする。
【課題を解決するための手段】
【００１０】
上記目的を達成するため、本発明では、エンジンのクランク軸に設けられ、前記エンジンのクランク軸は、変速機の入力要素軸に固定的に連結された車両用エンジンフライホイールにおいて、
回転自由度が２自由度で少なくとも３つの回転要素を有する噛み合い機構を有し、
前記噛み合い機構の速度線図で、両端部以外の位置に存在する回転要素に、前記クランク軸を固定的に連結し、かつ、前記噛み合い機構の少なくとも３つの回転要素のうち、２つの回転要素間に弾性部材を配置したことを特徴とする。
なお、弾性部材とは、所定量以上の相対回転を規制しながら相対回転後に各回転要素を中立位置に戻す部材をいう。
【発明の効果】
【００１１】
よって、本発明の車両用エンジンフライホイールにあっては、噛み合い機構の速度線図で、両端部以外の位置（中央領域の位置）に存在する回転要素に、エンジンのクランク軸が固定的に連結される。したがって、クランク軸から回転微小変動による振動入力がある中・高周波数振動領域では、振動中立点を中心として振動し、クランク軸と連結している回転要素の振幅に比べ、速度線図で両端部の位置に存在する回転要素のイナーシャが大きな振幅で加振される。このイナーシャ増幅効果により、クランク軸と連結している回転要素を制振する、つまり、クランク軸の回転変動を抑制する。
また、回転自由度が２自由度の噛み合い機構の少なくとも３つの回転要素のうち、２つの回転要素間に弾性部材を配置している。したがって、加速や減速や変速等のように、エンジン回転数が大きく変化する低周波数領域では、噛み合い機構を構成する回転要素の全イナーシャが一体化する。この場合、上記イナーシャ増幅効果により、噛み合い機構を構成する各回転要素の回転イナーシャの合計を小さく設定することができ、例えば、現行の回転イナーシャの30％程度に抑えても、中・高周波数振動領域で現行レベルの回転イナーシャを得ることができる。このように、各回転要素の回転イナーシャの合計が小さく設定されるため、加速時にはエンジン吹け上がりにより発進加速性が向上するし、変速時には変速レスポンスの改善により変速時間を大幅に短縮化できる。
この結果、部品点数の増加や大型化や複雑な制御を不要としながら、加振入力が中・高周波数振動領域か低周波数領域かで自動的に回転イナーシャ機能を異ならせることで、クランク軸の回転変動抑制や発進加速性の向上や変速時間の短縮等の効用を併せて達成することができる。
【図面の簡単な説明】
【００１２】
【図１】実施例１の車両用エンジンフライホイールが適用されたエンジン駆動系構成を示す概略図である。
【図２】実施例１の車両用エンジンフライホイールでの中・高周波数振動領域におけるイナーシャ増幅効果を示す速度線図である。
【図３】エンジンフライホイールのイナーシャが車両加速度に及ぼす影響を説明するために0.1kg・m2のエンジンイナーシャでの加速度αを代表とする無次元量γの実線特性とエンジンイナーシャをΔ70%減らした0.03 kg・m2での加速度αを代表とする無次元量γの点線特性を示す比較特性図である。
【図４】実施例１の車両用エンジンフライホイールのように加振軸（クランク軸）が速度線図の両端にはない場合に中・高周波数による加振入力があったときの上下方向の釣り合いを示す速度線図である。
【図５】実施例１の車両用エンジンフライホイールのように加振軸（クランク軸）が速度線図の両端にはない場合にシングルピニオン式プラネタリギヤの歯数比の成立範囲を示す特性図である。
【図６】比較例の車両用エンジンフライホイールのように加振軸（クランク軸）が速度線図の端部に連結されている場合に中・高周波数による加振入力があったときの上下方向の釣り合いを示す速度線図である。
【図７】比較例の車両用エンジンフライホイールのように加振軸（クランク軸）が速度線図の端部に連結されている場合にシングルピニオン式プラネタリギヤの歯数比の成立範囲を示す特性図である。
【図８】実施例１の車両用エンジンフライホイールのうち具体例での中・高周波数振動領域におけるイナーシャ増幅効果を示す速度線図である。
【図９】実施例２（第１例）の車両用エンジンフライホイールが適用されたエンジン駆動系構成を示す概略図である。
【図１０】実施例２（第２例）の車両用エンジンフライホイールが適用されたエンジン駆動系構成を示す概略図である。
【図１１】実施例３の車両用エンジンフライホイールが適用されたエンジン駆動系構成を示す概略図である。
【図１２】実施例３の車両用エンジンフライホイールでの中・高周波数振動領域におけるイナーシャ増幅効果を示す速度線図である。
【発明を実施するための形態】
【００１３】
以下、本発明の車両用エンジンフライホイールを実現する最良の形態を、図面に示す実施例１〜実施例３に基づいて説明する。
【実施例１】
【００１４】
まず、構成を説明する。
図１は、実施例１の車両用エンジンフライホイールが適用されたエンジン駆動系構成を示す概略図である。図２は、実施例１の車両用エンジンフライホイールでの中・高周波数振動領域におけるイナーシャ増幅効果を示す速度線図である。以下、図１及び図２に基づき実施例１の車両用エンジンフライホイールの構成を説明する。
【００１５】
実施例１の車両用エンジンフライホイールが適用されたエンジン駆動系は、図１に示すように、エンジン１と、クランク軸２と、エンジンフライホイールFW1と、変速機入力軸３（入力要素軸）と、発進クラッチ４と、自動変速機５（変速機）と、変速機出力軸６と、を備えている。
【００１６】
前記エンジンフライホイールFW1は、図１に示すように、エンジン１のクランク軸２に設けられている。このエンジン１のクランク軸２は、変速機５の変速機入力軸３に対し、スプライン結合等により固定的に連結されている。
【００１７】
前記エンジンフライホイールFW1は、図１に示すように、回転自由度が２自由度であり、３つの回転要素として、サンギヤＳとピニオンキャリアＣとリングギヤＲを有するシングルピニオン式プラネタリギヤPG1（噛み合い機構）により構成されている。なお、２自由度とは、２つの回転要素の動作関係が決まれば自動的に残りの１つの回転要素の動作が決まることをいう。
【００１８】
前記シングルピニオン式プラネタリギヤPG1は、図２に示す速度線図で、両端部以外の位置に存在する回転要素であるピニオンキャリアＣに、クランク軸２を固定的に連結している。なお、両端部の位置に存在する回転要素であるサンギヤＳとリングギヤＲは、いずれの部材に対しても連結されていなく、フリーの状態としている。
【００１９】
そして、前記シングルピニオン式プラネタリギヤPG1の３つの回転要素のうち、サンギヤＳとリングギヤＲとの間に、所定量以上の相対回転を規制しながら相対回転後に各回転要素であるサンギヤＳとピニオンキャリアＣとリングギヤＲを中立位置に戻す捩りばね７（弾性部材）を配置している。
【００２０】
実施例１では、エンジンフライホイールFW1を、サンギヤＳとピニオンキャリアＣとリングギヤＲに３分割し、これらの回転イナーシャＩS，ＩC，ＩRの合計は、現行の車両に搭載されているエンジンフライホイールの回転イナーシャの約30%に設定している。なお、各回転イナーシャＩS，ＩC，ＩRを分かりやすく示すため、図１ではサンギヤＳとピニオンキャリアＣとリングギヤＲに質量体を付加してあらわしている。しかし、各回転イナーシャＩS，ＩC，ＩRの設定は、サンギヤＳとピニオンキャリアＣとリングギヤＲの厚みの設定や断面形状の設定により行っても良い。勿論、サンギヤＳとピニオンキャリアＣとリングギヤＲの厚みを薄く設定し、質量体の付加により各回転イナーシャＩS，ＩC，ＩRを設定するようにしても良い。
【００２１】
次に、作用を説明する。
まず、「車両用エンジンフライホイールの機能と課題」、「エンジンフライホイールのイナーシャが車両加速度に及ぼす影響」の説明を行い、続いて、実施例１の車両用エンジンフライホイールにおける作用を、「車両用エンジンフライホイールが狙うコンセプト」、「中・高周波数振動領域でのイナーシャ作用」、「低周波数振動領域でのイナーシャ作用」、「振動解析」、「解析結果」、「具体例で取得される効用」に分けて説明する。
【００２２】
［車両用エンジンフライホイールの機能と課題］
車両用エンジンフライホイールの機能と課題は、以下の通りである。
(1) エンジンのトルク変動（低速域では爆発トルクに起因、高速域ではピストンの往復運動に起因）によって発生するクランクシャフトの回転速度変動を、一定値以内に制限することにより、補機駆動ベルト等で発生する応力を規定値以内とし、ベルトの耐久性を確保する。
(2) エンジンの始動性を確保することにあり、特に、ピストンが上死点を通過できるかどうかが課題である。なお、これは、高周波数振動領域となる。
(3) レシプロエンジン用のフライホイールのイナーシャは大きく、加速時には、車両から見て減速比の２乗に比例したフライホイールイナーシャを車体重量に加算して加速することになり、加速が鈍化する。従って、特に低速段では、エンジンの吹け上がりが悪化する。
(4) また、ディーゼルエンジンでは、圧縮比が大きい分、ガソリンエンジンに比べて更に大きな回転イナーシャが必要で、変速レスポンス、クラッチ・ブレーキ発熱量の両面で不利である。
(5) トルクコンバータ付き自動変速機では、発進時にエンジン回転速度が上昇してはじめて、トルコン出力軸トルクが増大する。従って、フライホイールのイナーシャが小さくできれば、エンジンの吹け上がり速度が短縮し、加速は画期的に改善する。
(6) ステップ自動変速機では、変速時にエンジン回転速度を短時間で同期させる必要がある。従って、フライホイールイナーシャが大きいと、変速レスポンスが悪化するとともに、クラッチ・ブレーキの発熱エネルギが増大し、燃費にも影響するので極力イナーシャを小さくしたい。
(7) トルクコンバータ付き車両では、発進時、エンジン回転数をいかに素早く上昇させるかが鍵であり、エンジンの低速トルクの増大と、エンジンのフライホイールイナーシャの低下の効果は大きい。
【００２３】
［エンジンフライホイールのイナーシャが車両加速度に及ぼす影響］
一般的に、変速機の減速比を大きくすれば、タイヤ駆動軸トルクは大きくなり、加速・登坂能力が向上すると言われている。しかし、フライホイールの回転イナーシャは、車体側から見ると、総減速比ｊとタイヤ半径Ｒとの比の２乗（ｊ/Ｒ）2に比例して大きくなる。減速比が大きい場合、それ以上減速比を大きくすると登坂能力は向上するが、加速度は向上しなくなる。
例えば、車両質量Ｗ(1,500kg)、タイヤ半径Ｒ(0.3m)、フライホイールの回転イナーシャＩ(0.1kg・m2)を固定し、総減速比ｊを変えたとき、平坦路における加速度がどのように変化するかについて、運動方程式を無次元化して求める。
その結果、総減速比を大きくするにつれて、加速度は大きくなるが、あるところで飽和し、それ以上では加速度がむしろ減少することを示す。
【００２４】
エンジントルクが200Nmのとき、加速度が最大値となる（減速比ｊ／タイヤ半径Ｒ）と、その加速度を求める。
以下の車両諸元を仮定し、回転イナーシャの加速度への影響を検討する。
dωe/dt（式ではωeの上に・を付して表す）：エンジン回転角速度(1/s2)
Ｗ：車両質量(1,500kg)
Ｒ：タイヤ半径(0.3m)
ｊ：１速総減速比（15、無次元量）
Ｔ：エンジントルク(300kg・m2/s2)
Ｉ：エンジンのフライホイールイナーシャ(ベース：0.1kg・m2)
α：加速度(m/s2)
車両の走行抵抗を無視すると、運動方程式は、
【数１】
2010164125.tif 000003
【００２５】
となる。上記(2)式を(1)式に代入すると、
【数２】
2010164125.tif 000004
【００２６】
となる。上記(4)式について、バッキンガムのπ定理により、
(a) 次元を有する物理量の数：n=5、Ｗ、Ｒ，Ｔ，Ｉ，α
(b) 物理量間に一つの式…(4)式
(c) 独立した次元の個数：m=3、質量(kg)、タイヤ半径(m)、加速度(m/s2)
(d) 関係式は、n-m=2個の無次元数β、γで表せる…(23)式
(e) 独立した無次元数の個数：n-m=1
を適用する。
【００２７】
(4)式を無次元化するため、両辺をＷαで除して整理すれば、
【数３】
2010164125.tif 000005
【００２８】
となる。以下のように、エンジンイナーシャＩを代表とする無次元量をβ、加速度αを代表とする無次元量をγとする。
【数４】
2010164125.tif 000006
【００２９】
となる。これらの２個の無次元量の関係は、(5)〜(7)式より、
【数５】
2010164125.tif 000007
【００３０】
となる。上記具体例の場合、
【数６】
2010164125.tif 000008
【００３１】
となる。
【００３２】
つまり、１速総減速比15、エンジンフライホイールイナーシャ0.1kg・m2の場合、β＝0.00074、γ＝12.8となる。フライホイールイナーシャΔ70%の0.03kg・m2に減らすと、β＝0.000222となり、(10)式は14.3となる。
従って、イナーシャをΔ70%減らすと、11.7％加速度が向上し、エンジン排気量を11.7%増大したのと同じ効果を有する。
【数７】
2010164125.tif 000009
【００３３】
同様に、２速の総減速比を8とし、エンジンイナーシャは、0.1kg・m2とすると、γ＝7.64となり、エンジンイナーシャを0.03kg・m2に減らせば、(13)式のように7.85となり、エンジンイナーシャ0.1kg・m2に対しては、3.3%加速度が改善する。
【数８】
2010164125.tif 000010
【００３４】
以上のように、総減速比が大きいほど、エンジンのフライホイールが加速度に及ぼす影響は大きく、フライホイールイナーシャΔ70%で、加速度の改善率が１速では11.7%、２速では3.3%となる。
また、(8)式は、フライホイールイナーシャが一定（β＝0.00074を仮定）の場合、加速度を代表する無次元量γは、総減速比ｊの関数であることを示している。よって、β＝0.00074の場合、無次元量γは、
【数９】
2010164125.tif 000011
【００３５】
となる。
【００３６】
そして、図３は、総減速比が36.8で無次元量γが最大値18.4になることを示しており、減速比の増大に伴って駆動力は比例的に増大するものの、加速度は最大値が存在することが理解できる。また、この加速度の最大値を与える総減速比は、(8)式の総減速比ｊの微分値が０となるｊを求めることにより、
【数１０】
2010164125.tif 000012
【００３７】
となる。従って、そのときの総減速比ｊは、
【数１１】
2010164125.tif 000013
【００３８】
の式で与えられる。このときの無次元量γと加速度αは、
【数１２】
2010164125.tif 000014
【００３９】
となる。
【００４０】
すなわち、βが大きい（車両重量の割にエンジンイナーシャ大）と、総減速比を大きくしても加速度の向上は殆ど見込めないことになる。
つなり、気筒数の小さな軽自動車やディーゼルエンジン車等では、フライホイールイナーシャを相対的に大きくする必要があるので、総減速比を大きくした場合、登坂能力は増大しても加速は改善されない。
従って、そのような車両でも、エンジンイナーシャを小さく設定できれば、加速性を向上させることができる。
【００４１】
［車両用エンジンフライホイールが狙うコンセプト］
エンジンクランクシャフトの微小な回転速度変動は、エンジンのトルク変動をフライホイールの回転イナーシャで除した値となる。従って、回転速度変動を抑制するには、十分に大きなイナーシャ（現行値並みを確保）を持たせる。
一方、車両の加速・減速や変速時等、エンジン回転自体が大きく変化する場合には、フライホイールイナーシャを現行の半分以下に低減する。
【００４２】
上記の相反する機能を両立させるため、回転自由度２，回転要素数３以上を有する遊星歯車のようなメカニズムを採用する。この構造・システムにより、回転変動成分を制振する領域では大きなイナーシャ効果、加速・減速の領域では小さなイナーシャ効果を持たせる。
【００４３】
これにより、加速時の吹け上がりや変速レスポンスが大幅に改善し、車両のダイナミック特性が大幅に改善するとともに、フライホイールの軽量・低コスト化、クラッチ・ブレーキの発熱量の半減、燃費改善等に効果の高い自動可変イナーシャ式の車両用エンジンフライホイールを提案する。なお、同時に、フライホイールの軽量化、トランスミッションの軽量化にも寄与することは明白である。
【００４４】
［中・高周波数振動領域でのイナーシャ作用］
実施例１の車両用エンジンフライホイールでは、図１及び図２に示すように、シングルピニオン式プラネタリギヤPG1の速度線図で、両端部以外の位置（中央領域の位置）に存在するピニオンキャリアＣに、エンジン１のクランク軸２が固定的に連結される。
【００４５】
したがって、エンジン１のクランク軸２から回転微小変動による振動入力がある中・高周波数振動領域では、図２に示す振動中立点（重心）を中心として、サンギヤＳとピニオンキャリアＣとリングギヤＲが振動する。この振動モードは、クランク軸２と連結しているピニオンキャリアＣの振幅が、振動中立点に最も近いことから最も小さく、ピニオンキャリアＣの振幅に比べ、速度線図で両端部の位置に存在するサンギヤＳとリングギヤＲのイナーシャＩS，ＩRが遙かに大きな振幅で加振される（イナーシャ増幅効果）。
【００４６】
このイナーシャ増幅効果により、クランク軸２と連結しているピニオンキャリアＣが大きく制振される。つまり、サンギヤＳとピニオンキャリアＣとリングギヤＲの回転イナーシャＩS，ＩC，ＩRの合計を、現行の車両に搭載されているエンジンフライホイールの回転イナーシャの約30%に設定しているにもかかわらず、大きなイナーシャ効果が発揮され、クランク軸２の回転変動、並びに、補機駆動ベルトの回転変動を現行のエンジンフライホイール並に抑えることができる。
【００４７】
［低周波数振動領域でのイナーシャ作用］
実施例１の車両用エンジンフライホイールでは、上記イナーシャ増幅効果により、サンギヤＳとピニオンキャリアＣとリングギヤＲの回転イナーシャＩS，ＩC，ＩRの合計を、現行の車両に搭載されているエンジンフライホイールの回転イナーシャの約30%に設定すると共に、図１に示すように、サンギヤＳとピニオンキャリアＣとリングギヤＲによる３つの回転要素のうち、サンギヤＳとリングギヤＲ２の間に捩りばね７を配置している。
【００４８】
したがって、加速や減速や変速等のように、エンジン回転数が大きく変化する低周波数領域では、シングルピニオン式プラネタリギヤPG1を構成するサンギヤＳとピニオンキャリアＣとリングギヤＲの全イナーシャＩS，ＩC，ＩRが一体化する。つまり、エンジン回転数が大きく変化する低周波数領域での回転イナーシャは、サンギヤＳの回転イナーシャＩSとピニオンキャリアＣの回転イナーシャＩCとリングギヤＲの回転イナーシャＩRの合計となる。
【００４９】
このように、低周波数領域では、シングルピニオン式プラネタリギヤPG1を構成するサンギヤＳとピニオンキャリアＣとリングギヤＲの合計回転イナーシャ（＝ＩS＋ＩC＋ＩRであり、現行の約30%）により、イナーシャが小さくなるため、加速時にはエンジンの吹け上がりが良くなり発進加速性が向上し、変速時には変速レスポンスの改善により変速時間が大幅に短縮する。この結果、車両のダイナミック特性が大幅に改善されることになる。
【００５０】
そして、サンギヤＳとピニオンキャリアＣとリングギヤＲの回転イナーシャＩS，ＩC，ＩRの合計を、現行の車両に搭載されているエンジンフライホイールの回転イナーシャの約30%に設定している。このため、現行車両に比べエンジンフライホイールの軽量・低コスト化を図ることができる。また、変速機５として自動変速機を用いた場合には、自動変速機の摩擦締結要素であるクラッチ・ブレーキの発熱量を半減できる。さらに、加減速応答が高く、熱損失も低く抑えられることで、燃費改善にも効果が高い。加えて、エンジンフライホイールの軽量化や、変速機の軽量化にも寄与することができる。
【００５１】
さらに、実施例１の車両用エンジンフライホイールは、シングルピニオン式プラネタリギヤPG1と捩りばね７のみにて構成しながら、回転微小変動による中・高周波数振動領域とエンジン回転数変化による低周波数領域とで自動的に回転イナーシャ機能を異ならせることができる。このため、部品点数の増加や大型化や複雑な制御を不要とすることができる。
【００５２】
［振動解析］
上記のように、実施例１の車両用エンジンフライホイールは、中・高周波数振動領域（クランク軸トルク変動等）では大きな回転イナーシャとして機能し、低周波数振動領域（車両の加速・減速・変速等）では小さな回転イナーシャとして機能する。
【００５３】
そこで、実施例１の車両用エンジンフライホイールにて採用した遊星歯車の各回転要素の回転イナーシャ（慣性）と角度変位（角速度、角加速度）との関係は、レバー（てこ）の質量と変位（速度、加速度）との関係に置き換えられることを利用して以下、振動解析を行う。
【００５４】
(a) 上下方向の釣り合い（図４参照）
レバーの上下方向には、下記の釣り合い式、
【数１３】
2010164125.tif 000015
【００５５】
が成り立つ。ここで、ａS、ａC、ａR、ρ（遊星歯車の歯数比）の関係は、
【数１４】
2010164125.tif 000016
【００５６】
である。
(1)式に(2),(3)式を代入すると、
【数１５】
2010164125.tif 000017
【００５７】
が得られる。そして、振動中立点（重心）の位置は、(4)式のdωC/dtの係数を０（トルク変動に対する回転速度変動が無限大）として、
【数１６】
2010164125.tif 000018
【００５８】
により求まる。
【００５９】
(b) 回転方向の釣り合い（図４参照）
左方向への回転モーメントを正とすると、回転方向の釣り合いは、
【数１７】
2010164125.tif 000019
【００６０】
が成り立つ。従って、(2)式と(3)式を考慮すると、
【数１８】
2010164125.tif 000020
【００６１】
となる。
【００６２】
(c) イナーシャ総和を減じる（クランク軸の振動振幅は現行並とする）
クランク軸トルクの変動振幅をλ、角変位振幅をθCとし、これを現行のエンジンフライホイール並とすることを考える。
・実施例１のエンジンフライホイールの場合
【数１９】
2010164125.tif 000021
【００６３】
となる。(7)式は、
【数２０】
2010164125.tif 000022
【００６４】
となる。従って、
【数２１】
2010164125.tif 000023
【００６５】
が得られる。
・現行のエンジンフライホイールの場合（フライホイールイナーシャＩe）
【数２２】
2010164125.tif 000024
【００６６】
となる。実施例１のエンジンフライホイールと現行のエンジンフライホイールの振動振幅を同等とするには、(10)式のθC/λと、(12)式のθe/λを同等にする必要がある。
【数２３】
2010164125.tif 000025
【００６７】
となる。
【００６８】
(d) 加減速運動時（振動成分は無視できる）のイナーシャ
加減速運動状態では、遊星歯車が一体で回転するので、各回転要素のイナーシャの総和がフライホイールイナーシャとなる。この値を現行品のα倍とするには、
【数２４】
2010164125.tif 000026
【００６９】
となる。
そして、(5)式（イナーシャ重心位置）、(14)式（振動振幅が現行品と同じ）、(15)式（イナーシャ総計が現行品のα倍）を再掲すると、
【数２５】
2010164125.tif 000027
【００７０】
となる。ここで、既知数と未知数を以下のように定め、３個の未知数の連立１次方程式として解く。
既知数：α、ａC、ａS、ａR、ρ、Ｉe
未知数：ＩS、ＩC、ＩR
その際、現行品のフライホイールイナーシャＩe＝１（基準値）とし、
【数２６】
2010164125.tif 000028
【００７１】
の関係を加えて、ａS、ａRを消去すると、上記(5),(14),(15)の３式は、
【数２７】
2010164125.tif 000029
【００７２】
となる。この３元連立１次方程式を行列によって表すと、
【数２８】
2010164125.tif 000030
【００７３】
となる。ＩC、ＩR、ＩSを解くと、
【数２９】
2010164125.tif 000031
【００７４】
となる。分母は、
【数３０】
2010164125.tif 000032
【００７５】
となる。分子は、
【数３１】
2010164125.tif 000033
【００７６】
となる。従って、ＩC、ＩR、ＩSは、
【数３２】
2010164125.tif 000034
【００７７】
となる。
【００７８】
(e) 限界イナーシャの解析
各イナーシャは、(25)式、(26)式、(27)式で与えられ、以下の通りである。それらは、以下の３個の変数の関数となる。
ρ：上記例では、遊星歯車のリングギヤに対するサンギヤの端数比である。一般化すると、クランク軸と第一イナーシャとの速度線図上の距離を１としたときの、クランク軸と第二イナーシャとの距離である。なお、第一イナーシャと反対側のときを正とする。
α：現行イナーシャに対する３分割イナーシャの総和の比である。
ａC：クランク軸と振動中心（重心）との速度線図上の距離である。第一イナーシャと同じ側のときを正とする。
ここで、αを0.1〜0.4のある値（例えば、α＝0.3）に固定し、単純遊星歯車を想定し、キャリアをクランク軸に連結し、ρは0.25〜0.7の範囲、ａCは無制限としたとき、全てのイナーシャが正の値を与えるρとａCのとの組み合わせを求めると、
【数３３】
2010164125.tif 000035
【００７９】
となる。(28)式＋(29)式＋(30)式により、ＩC＋ＩR＋ＩSを求めると、
【数３４】
2010164125.tif 000036
【００８０】
となり、計算式が正しいことが証明された。
【００８１】
［解析結果］
(a) 加振軸（クランク軸）が速度線図の両端にはない場合
(a-1) 加振軸に連結する軸のイナーシャ（キャリア）＞０
(28)式より、ρ＞０であれば、−ａC2＋α(ρ＋ａC)(１−ａC)＞０となる。
従って、ａC＜１であれば、
【数３５】
2010164125.tif 000037
【００８２】
となる。ａC＞１のときは、
【数３６】
2010164125.tif 000038
【００８３】
となる。
(a-2) 第二イナーシャ（リングギヤ）＞０
(29)式より、ρ＞０であれば、
【数３７】
2010164125.tif 000039
【００８４】
となる。１＋α＞０なので、
【数３８】
2010164125.tif 000040
【００８５】
となる。これにより、
【数３９】
2010164125.tif 000041
【００８６】
となる。
(a-3) 第一イナーシャ（サンギヤ）＞０
(30)式より、ρ＞０であれば、
【数４０】
2010164125.tif 000042
【００８７】
となる。
仮に、α＝0.3とすると、以下の(1)〜(3)の条件を全て満足するａC、ρの範囲が成立条件となる。
【数４１】
2010164125.tif 000043
【００８８】
この成立範囲を図５に示す。この図５において、「α0.3のときの成立範囲」と記載されている塗りつぶし領域が成立領域である。
【００８９】
以上の解析結果から、現行のフライホイール回転イナーシャに対する、実施例１における回転イナーシャの比率αを、0.3以下に減少させることも可能であることが判る。
実際に、α＝0.3、ρ＝0.35、ａC＝0.35とすると、３個の回転イナーシャの値は、
【数４２】
2010164125.tif 000044
【００９０】
となる。
【００９１】
(b) 加振軸（クランク軸）が速度線図の端部に連結されている場合（比較例）
加振軸が速度線図の端部に連結されている場合には、図６に示すような速度線図になり、ρ＞０、ａC＞０となる。
(b-1) 加振軸に連結する軸のイナーシャ＞０
(28)式より、ρ＞０であれば、−ａC2＋α(ρ＋ａC)(１−ａC)＜０となる。
従って、ａC＜１であれば、
【数４３】
2010164125.tif 000045
【００９２】
となる。ａC＞１のときは、
【数４４】
2010164125.tif 000046
【００９３】
となり、この領域には存在しない。
(b-2) 第二イナーシャ＞０
(29)式により、ρ＜−１またはρ＞０であれば、ρ＋ρ2＞０なので、
【数４５】
2010164125.tif 000047
【００９４】
となる。
(b-3) 第一イナーシャ＞０
(30)式より、ρ＜−１のとき、ρ（１＋ρ）＞０なので、
【数４６】
2010164125.tif 000048
【００９５】
となる。仮に、α＝0.3とすると、以下の(1)〜(3)の条件を全て満足するａC、ρの範囲が成立条件となる。
【数４７】
2010164125.tif 000049
【００９６】
この成立範囲を、図７の「α0.3のときの成立範囲（ρ＜０）」で示す範囲であらわす。
【００９７】
従来技術のダイナミックダンパの概念は、ρ＜０の領域であり、実際に、α＝0.3、ρ＝-0.5、ａC＝0.14とすると、３個の回転イナーシャの値は、以下となる。なお。クランク軸に連結する軸が速度線図上の端部にあれば、第一イナーシャと第二イナーシャとは、その軸に対して同じ側となり、ρは負となる。
【数４８】
2010164125.tif 000050
【００９８】
従って、加振軸（クランク軸）が速度線図の端部に連結されている場合には、クランク軸の振動振幅に対する第二イナーシャの振動振幅の比が6.14となり、(a)にて説明した加振軸（クランク軸）が速度線図の両端にない場合の1.86に比べ、大きく振動するので、このシステムは好ましくないといえる。
【００９９】
［具体例で取得される効用］
実施例１の車両用エンジンフライホイールを、図８に示すように、下記の遊星歯車諸元にて実現した。
ρ：歯数比（サンギヤ/リングギヤ）            …0.35
aC：振動中立点位置                            …0.35
回転イナーシャ：現行品を１としたときの値を示す。
ＩC：キャリアのイナーシャ                    …0.04
ＩR：リングギヤのイナーシャ                  …0.115
ＩS：サンギヤのイナーシャ                    …0.145
合計…0.30（Δ70%）
イナーシャの増幅効果：振動中立点からの距離の２乗に比例するキャリアに対する効果であり、
リングギヤ：ＩR(0.115)の４倍(＝0.460)
サンギヤ：ＩS(0.145)の3.45倍(＝0.50025)
が得られた。すなわち、イナーシャ増幅効果による合計イナーシャ（ＩC＋ＩR＋ＩS）は、（ＩC＋ＩR＋ＩS）＝1.000215となった。
したがって、クランク軸の回転変動に対し、現行品並の回転変動抑制効果を得ることができた。
【０１００】
シングルピニオン式プラネタリギヤPG1が一体化したときの合計イナーシャ（ＩC＋ＩR＋ＩS）は、上記のように0.30であり、現行品に対して70%のイナーシャ低減となった。
したがって、クランク軸の回転変動を現行品並に維持しながら、下記に列挙するように、
・変速時間を大幅短縮（全変速でΔ70%）
・発進加速を飛躍的に向上（最大Ｇ：0.79Ｇ→0.82Ｇ）
・最大Ｇ発生までのレスポンス大幅向上（0.37→0.32秒）
・燃費を低減（フライホイールイナーシャ損失分：Δ70%）
・摩擦要素の耐久性向上（発熱量：Δ70%）
・重量（数kg以上）、コスト（数千円以上）、大きさ、音振を大幅改良（エンジン排気量10%ダウン可能による効果大）
という効用を取得することができた。
【０１０１】
次に、効果を説明する。
実施例１の車両用エンジンフライホイールにあっては、下記に列挙する効果を得ることができる。
【０１０２】
(1) エンジン１のクランク軸２に設けられ、前記エンジン１のクランク軸２は、変速機（自動変速機５）の入力要素軸（変速機入力軸３）に固定的に連結された車両用エンジンフライホイールにおいて、回転自由度が２自由度で少なくとも３つの回転要素を有する噛み合い機構（シングルピニオン式プラネタリギヤPG1）を有し、前記噛み合い機構の速度線図で、両端部以外の位置に存在する回転要素（キャリアＣ）に、前記クランク軸２を固定的に連結し、かつ、前記噛み合い機構の少なくとも３つの回転要素のうち、２つの回転要素（サンギヤＳとリングギヤＲ）間に、所定量以上の相対回転を規制しながら相対回転後に各回転要素を中立位置に戻す弾性部材（捩りばね７）を配置した。このため、部品点数の増加や大型化や複雑な制御を不要としながら、加振入力が中・高周波数振動領域か低周波数領域かで自動的に回転イナーシャ機能を異ならせることで、クランク軸２の回転変動抑制や発進加速性の向上や変速時間の短縮等の効用を併せて達成することができる。
【０１０３】
(2) 前記噛み合い機構は、シングルピニオン式プラネタリギヤPG1であり、前記シングルピニオン式プラネタリギヤPG1の速度線図で、両端部以外の位置に存在するキャリアＣに、前記クランク軸２を固定連結した。このため、噛み合い機構として、２自由度３要素を持つシングルピニオン式プラネタリギヤPG1を用いながら、加振入力が中・高周波数振動領域か低周波数領域かで自動的に回転イナーシャ機能を異ならせることで、コスト的・スペース的に有利であると共に、高い耐久信頼性を確保することができる。
【実施例２】
【０１０４】
実施例２は、所定量以上の相対回転を規制しながら相対回転後に各回転要素を中立位置に戻す弾性部材の配置を実施例１と異ならせた例である。
【０１０５】
まず、構成を説明する。
図９は、実施例２（第１例）の車両用エンジンフライホイールが適用されたエンジン駆動系構成を示す概略図である。
この実施例２の第１例では、エンジンフライホイールFW2-1を、シングルピニオン式プラネタリギヤPG1の３つの回転要素のうち、キャリアＣとサンギヤＳとの間に、所定量以上の相対回転を規制しながら相対回転後に各回転要素であるサンギヤＳとピニオンキャリアＣとリングギヤＲを中立位置に戻すトーションダンパ７’（弾性部材）を配置することで構成している。
図１０は、実施例２（第２例）の車両用エンジンフライホイールが適用されたエンジン駆動系構成を示す概略図である。
この実施例２の第２例では、エンジンフライホイールFW2-2を、シングルピニオン式プラネタリギヤPG1の３つの回転要素のうち、キャリアＣとリングギヤＲとの間に、所定量以上の相対回転を規制しながら相対回転後に各回転要素であるサンギヤＳとピニオンキャリアＣとリングギヤＲを中立位置に戻すトーションダンパ７’（弾性部材）を配置することで構成している。
なお、他の構成は、実施例１と同様であるので、対応する構成に同一符号を付して説明を省略する。
【０１０６】
次に、作用を説明する。
実施例２の車両用エンジンフライホイールでは、シングルピニオン式プラネタリギヤPG1の３つの回転要素のうち、キャリアＣとサンギヤＳの間（第１例）、あるいは、キャリアＣとリングギヤＲとの間（第２例）にトーションダンパ７’を配置している。
したがって、実施例１のように、サンギヤＳとリングギヤＲとの間に弾性体を配置する場合に比べ、キャリアＣとサンギヤＳの間、あるいは、キャリアＣとリングギヤＲの間に弾性体を配置する場合には、径方向距離間隔が短くなる（図２参照）。このため、弾性体であるトーションダンパ７’を配置する際、回転要素から延ばすプレート部材が、径方向に短いものとなり、製造容易性やコンパクト性を得ることができる。
なお、他の作用は、実施例１と同様であるので、説明を省略する。
【０１０７】
次に、効果を説明する。
実施例２の車両用エンジンフライホイールにあっては、実施例１の(1),(2)の効果に加え、下記の効果を得ることができる。
【０１０８】
(3) 前記シングルピニオン式プラネタリギヤPG1は、３つの回転要素のうち、キャリアＣとサンギヤＳの間、あるいは、キャリアＣとリングギヤＲとの間に弾性部材（トーションダンパ７’）を配置した。このため、エンジンフライホイールFW2-1,FW2-2を、容易に製造することができると共に、コンパクト性を持つことにより狭いスペースに設定することができる。
【実施例３】
【０１０９】
実施例３は、噛み合い機構として、ダブルピニオン式プラネタリギヤを採用した例である。
【０１１０】
まず、構成を説明する。
図１１は、実施例３の車両用エンジンフライホイールが適用されたエンジン駆動系構成を示す概略図である。図１２は、実施例３の車両用エンジンフライホイールでの中・高周波数振動領域におけるイナーシャ増幅効果を示す速度線図である。
【０１１１】
この実施例３のエンジンフライホイールFW3は、図１１に示すように、噛み合い機構として、ダブルピニオン式プラネタリギヤPG2を採用している。そして、図１２に示すように、ダブルピニオン式プラネタリギヤPG2の速度線図で、両端部以外の位置に存在するリングギヤＲに、エンジン１のクランク軸２を固定連結している。さらに、ダブルピニオン式プラネタリギヤPG2の３つの回転要素のうち、キャリアＣとサンギヤＳとの間にトーションダンパ７’（弾性部材）を配置している。
なお、他の構成は、実施例１と同様であるので、対応する構成に同一符号を付して説明を省略する。
【０１１２】
次に、作用を説明する。
実施例３の場合、噛み合い機構として、ダブルピニオン式プラネタリギヤPG2を採用しているため、例えば、歯数比ρを0.5の値や0.5に近い値に設定することで、図１２に示すように、速度線図上で加振源となるリングギヤＲの位置を、振動中立点と一致させる、あるいは、ほぼ一致させることができる。
【０１１３】
したがって、エンジン１のクランク軸２から回転微小変動による振動入力がある中・高周波数振動領域では、図１２に示す振動中立点（重心）を中心として、サンギヤＳとピニオンキャリアＣとリングギヤＲが振動する。この振動モードは、クランク軸２と連結しているリングギヤＲの振幅が、振動中立点に一致している、あるいは、ほぼ一致していることから最も小さく、リングギヤＲの振幅に比べ、速度線図で両端部の位置に存在するサンギヤＳとピニオンキャリアＣのイナーシャＩS，ＩCが遙かに大きな振幅で加振される（イナーシャ増幅効果）。このとき、実施例１の場合には、サンギヤＳに比べてリングギヤＲの振幅が小さくなるが、この実施例３の場合、サンギヤＳとピニオンキャリアＣの振幅がほぼ同じで大きなものとなる。これは、実施例３の場合には、実施例１，２に比べ、イナーシャ増幅効果をより大きく得ることができることを意味する。
【０１１４】
このため、クランク軸の回転変動を現行並に維持する場合には、３つの回転要素の合計イナーシャが実施例１，２より小さくなり、より発進加速性の向上や変速時間の短縮等を図ることができることになる。
【０１１５】
一方、３つの回転要素の合計イナーシャを実施例１，２と同じに設定した場合には、発進加速性の向上や変速時間の短縮等を実施例１，２並に維持しながら、クランク軸の回転変動を実施例１，２より高い効果にて抑えることができる。
なお、他の作用は、実施例１と同様であるので、説明を省略する。
【０１１６】
次に、効果を説明する。
実施例３の車両用エンジンフライホイールにあっては、実施例１の(1),(2)の効果に加え、下記の効果を得ることができる。
【０１１７】
(4) 前記噛み合い機構は、ダブルピニオン式プラネタリギヤPG2であり、前記ダブルピニオン式プラネタリギヤPG2の速度線図で、両端部以外の位置に存在するリングギヤＲに、前記クランク軸２を固定連結した。このため、実施例１，２に比べ、より大きなイナーシャ増幅効果を得ることができる。
【０１１８】
以上、本発明の車両用エンジンフライホイールを実施例１〜実施例３に基づき説明してきたが、具体的な構成については、これらの実施例に限られるものではなく、特許請求の範囲の各請求項に係る発明の要旨を逸脱しない限り、設計の変更や追加等は許容される。
【０１１９】
実施例１〜３では、噛み合い機構として、シングルピニオン式プラネタリギヤとダブルピニオン式プラネタリギヤを用いた例を示した。しかし、回転自由度が２自由度で少なくとも３以上の回転要素を有する噛み合い機構であれば、回転要素間で差動機能を有する他の噛み合い機構を用いても良い。また、速度線図上で両端部以外の位置に複数の回転要素が存在する場合には、車両状態や走行状況等に応じてクランク軸と連結する回転要素を選択するような例としても良い。また、ダブルピニオン式プラネタリギヤを用いた例としての実施例３において、キャリアＣとサンギヤＳとの間に弾性部材を設ける例を示したが、キャリアＣとリングギヤＲとの間、又はリングギヤＲとサンギヤＳとの間に設けても良い。特に、この場合、実施例２の効果(3)が得られる。
【産業上の利用可能性】
【０１２０】
実施例１〜３では、発進クラッチと自動変速機を有するエンジン駆動系に対する適用例を示したが、流体伝道装置（例えば、トルクコンバータ）や手動変速機を有するエンジン駆動系に対しても本発明の車両用エンジンフライホイールを適用することができる。要するに、エンジンのクランク軸に設けられ、エンジンのクランク軸は、変速機の入力要素軸に固定的に連結された車両用エンジンフライホイールであれば適用できる。
【符号の説明】
【０１２１】
FW1  エンジンフライホイール
FW2-1  エンジンフライホイール
FW2-2  エンジンフライホイール
FW3  エンジンフライホイール
１  エンジン
２  クランク軸
３  変速機入力軸（入力要素軸）
５  自動変速機（変速機）
PG1  シングルピニオン式プラネタリギヤ（噛み合い機構）
PG2  ダブルピニオン式プラネタリギヤ（噛み合い機構）
Ｓ  サンギヤ（回転要素）
Ｃ  キャリア（回転要素）
Ｒ  リングギヤ（回転要素）
７  捩りばね（弾性部材）
７’  トーションダンパ（弾性部材）
【図１】
2010164125.tif 000051
【図２】
2010164125.tif 000052
【図３】
2010164125.tif 000053
【図４】
2010164125.tif 000054
【図５】
2010164125.tif 000055
【図６】
2010164125.tif 000056
【図７】
2010164125.tif 000057
【図８】
2010164125.tif 000058
【図９】
2010164125.tif 000059
【図１０】
2010164125.tif 000060
【図１１】
2010164125.tif 000061
【図１２】
2010164125.tif 000062